(57)【特許請求の範囲】
【請求項１】
脚体と、この脚体における枢軸に、横向きの着座状態から、前端が上方を向く縦向きの起立状態に回動可能に枢支された座体と、この座体を起立状態になる方向に常時付勢する付勢手段とを備える椅子において、
前記付勢手段を、一端を座体の下部に固定し、他端を遊端とした巻きばねをもって形成するとともに、この巻きばねを、着座状態において、前後方向の横向きに保持し、かつ前記遊端を、座体が枢支された枢軸に一端を固定して、枢軸の周方向に沿って配設したワイヤーの他端に連結したことを特徴とする椅子。
【請求項２】
座体を、座本体と、この座本体の下面に固着され、座本体を枢軸に枢支するための軸受部材とを備えるものとし、この軸受部材の前部に、巻きばねの一端を固定した請求項１記載の椅子。
【請求項３】
軸受部材の後部における左右両側に側面視Ｕ字状の枢軸受部を所望間隔離間させて形成するとともに、前部における中央に巻きばねの一端を固定する固定部を形成し、かつ前記左右両側の枢軸受部間において、枢軸にワイヤーの一端を固定して、枢軸の周方向に沿って配設し、このワイヤーの他端を巻きばねの遊端に連結した請求項２記載の椅子。
【請求項４】
座体を、座本体と、軸受部材と、座下面カバーとを備えるものとし、座下面カバーをもって、座本体の下面と、軸受部材とを下方から覆った請求項２または３記載の椅子。
【発明の詳細な説明】
【技術分野】
【０００１】
本発明は、椅子に関し、詳しくは、座体を横向きの着座状態から、その前端が上方を向く縦向きの起立状態になる方向に付勢する付勢手段を備える椅子に関する。
【背景技術】
【０００２】
座体を着座状態から、起立状態になる方向に付勢する巻きばねを備える椅子は公知である（特許文献１）。
しかし、この特許文献１に記載されるものは、巻きばねが水平状態から傾斜した状態で座体における座本体の下方空間に収容されているため、巻きばねを含めた座体全体の厚みが大きくなり、デザイン上、余り好ましくない場合もあるという問題があった。
【特許文献１】実開昭６０−４４６４８号公報
【発明の開示】
【発明が解決しようとする課題】
【０００３】
本発明は、前記の現状に鑑み、巻きばねの付勢手段としての機能を損なうことなく、座体全体の厚みを小さくしうるとともに、また見かけ上も座体全体の厚みを大きく見せることなく、起立状態になる方向に座体を付勢する付勢手段を備える椅子を提供することを目的とする。
【課題を解決するための手段】
【０００４】
本発明によると、上記課題は、特許請求の範囲における各請求項に示すように、下記の構成を備える発明によって解決される。
（１）脚体と、この脚体における枢軸に、横向きの着座状態から、前端が上方を向く縦向きの起立状態に回動可能に枢支された座体と、この座体を起立状態になる方向に常時付勢する付勢手段とを備える椅子において、前記付勢手段を、一端を座体の下部に固定し、他端を遊端とした巻きばねをもって形成するとともに、この巻きばねを、着座状態において、前後方向の横向きに保持し、かつ前記遊端を、座体が枢支された枢軸に一端を固定して、枢軸の周方向に沿って配設したワイヤーの他端に連結したことを特徴とする椅子とする。
【０００５】
（２）上記(１)項において、座体を、座本体と、この座本体の下面に固着され、座本体を枢軸に枢支するための軸受部材とを備えるものとし、この軸受部材の前部に、巻きばねの一端を固定する。
【０００６】
（３）上記(２)項において、軸受部材の後部における左右両側に側面視Ｕ字状の枢軸受部を所望間隔離間させて形成するとともに、前部における中央に巻きばねの一端を固定する固定部を形成し、かつ前記左右両側の枢軸受部間において、枢軸にワイヤーの一端を固定して、枢軸の周方向に沿って配設し、このワイヤーの他端を巻きばねの遊端に連結する。
【０００７】
（４）上記(２)項または(３)項において、座体を、座本体と、軸受部材と、座下面カバーとを備えるものとし、座下面カバーをもって、座本体の下面と、軸受部材とを下方から覆う。
【発明の効果】
【０００８】
本発明によると、次のような効果が奏せられる。
請求項１記載の発明によれば、一端を座体の下部に固定した巻きばねを前後方向の横向きに保持し、その遊端を、枢軸に一端を固定して、枢軸の周方向に沿って配設したワイヤーの他端に連結してあるため、巻きばねを傾斜させて遊端側を枢軸に固定した特許文献１に開示される椅子に比較して、巻きばねが占める上下方向の空間長さが小さくなり、これによって、巻きばねを含めた座全体の厚みを小さくしうるとともに、また見かけ上も座体全体の厚みを大きく見せることなく、起立状態になる方向に付勢する巻きばねの付勢手段としての機能を損なうことのない椅子が得られる。
【０００９】
請求項２記載の発明によれば、軸受部材という一つの部材によって、枢軸への座体の枢支と、巻きばねの固定とを行うことができるので、座体における座本体の下面へ施す加工を最少限にすることができる。
【００１０】
請求項３記載の発明によれば、ワイヤーの一端の枢軸への固定と、このワイヤーを枢軸の周方向に沿わせる配設と、このワイヤーの他端を、一端を固定した巻きばねの遊端と連結するなどの一連の作業を、極めて効率的に行うことができる。
【００１１】
請求項４記載の発明によれば、軸受部材と、この軸受部材を利用して取り付けたワイヤーおよび巻きばね等が、座下面カバーによって覆われるため、美観を損なうことがない。
【発明を実施するための最良の形態】
【００１２】
以下、本発明を実施例に基づいて詳細に説明する。
図１は、本発明を実施した椅子を、座体を起立状態に回動させたときの斜視図、図２は、図１に示す椅子の分解斜視図、図３は、要部拡大分解斜視図、図４は、座下面カバーを取り外した状態の正面図、図５は、座体を、起立状態にしたときの中央縦断面図、図６は、座体を、着座状態にしたときの中央縦断面図、図７は、座体の中央縦断面図、図８は、張り材を、背凭れフレームに被覆する状態を示す要部正面図、図９は、座下面カバーの上方斜視図である。
【００１３】
図１、図２に示すように、本発明の椅子は、脚体１の後部に、背凭れフレーム２が立設されている。脚体１は、逆Ｖ字状の左右の側脚３、３の上端が、左右方向を向く枢軸４により連結されて形成されている。
脚体１の上部左右には、肘受け５が、ねじ６および固定補助具７により、取付けられている。
【００１４】
背凭れフレーム２は枠状をなし、左右の枠材２ａ、２ａの下部には、それぞれ前方を向く取付部８が設けられ、この取付部８を介して、背凭れフレーム２が脚体１に取付けられている。
【００１５】
背凭れフレーム２は、合成樹脂製などの弾性を有する張り材９によって被覆されている。
【００１６】
図２、図８に示すように、張り材９は、下方に開口９ａを有する袋状をなし、この開口９ａを利用して、張り材９が上方から背凭れフレーム２に被覆されている。
【００１７】
背凭れフレーム２における左右の枠材２ａ、２ａの下部には、それぞれ取付金具１０が固着され、この取付金具１０は、内方に向けて延設された取付片１０ａを備えている。
【００１８】
この取付片１０ａには、正面視においてほぼ方形状の硬質な弾性体からなる板材１１の左右の下隅部が、ねじ１２により固着されており、着座者による前方からの荷重によって後方に弾性変形しうるようになっている。
【００１９】
板材１１は、ポリプロピレン樹脂により形成されるとともに、着座者の腰部への良好な押圧力を付与するため、側面視において、前向きのくの字形状をなし、かつ左右方向の中央部に対する後向きの負荷に対して、着座者を左右から抱き込むように撓ませるために、平面視において、後向きに突出する緩やかな弧状に形成されている。
【００２０】
板材１１は、背凭れフレーム２における左右の枠材２ａ、２ａ間であって、張り材９の前面９ｂと後面９ｃ間の空間内に位置している。
【００２１】
板材１１は、ランバーサポート機能や後方からの衝撃に対する防護板としての機能を有する。
【００２２】
ランバーサポート機能を充分に発揮させるには、本実施形態のように、硬質な弾性体からなる板材１１の左右の下隅部を、ねじ１２等により固着するなど、板材１１の一部、特に下部を背凭れフレーム２に固着し、着座者の腰部に対応する板材１１の部分が、前方からの荷重によって、適度に後方に弾性変形しうるようにすることが望ましい。この場合、板材１１の左右方向の幅は、背凭れフレーム２における左右の枠材２ａ、２ａ間の間隔とほぼ同一であることは必ずしも必要ではなく、多少狭いものであってもよい。
【００２３】
また、板材１１の上下方向の長さは、左右の枠材２ａ、２ａ間の空間における下端部から、少なくとも、腰を支持する枠材２ａの前向き屈曲部に対応する位置まで達する大きさが必要であり、これよりも上方に向けて長さの大きいものとすれば、防護板としての機能も高まる。
【００２４】
また、後方からの衝撃に対する防護板としての機能を充分に発揮させるには、板材１１の左右方向の幅を、背凭れフレーム２における左右の枠材２ａ、２ａ間の間隔とほぼ同一にするとともに、足蹴りなどに対する耐衝撃性を有する素材からなり、かつ衝撃を吸収し、着座者に対する衝撃を可及的に小さくする板材であることが望ましい。
【００２５】
また、板材１１の上下方向の長さは、左右の枠材２ａ、２ａ間の空間における下端部から、腰を支持する枠材２ａの前向き屈曲部に対応する位置よりも、上方に向けて高さの高い位置に達する大きさであることが望まれる。
【００２６】
耐衝撃性を向上させるとともに、着座者に対する衝撃を可及的に小さくするには、ある程度硬質な弾性体からなる板材を選択するとともに、たとえば板材に補強用のリブを設けたり、板材の背凭れフレームへの固着を、左右それぞれ２箇所とし、上方の固着を弾性を有する固着手段、たとえば弾性を有する帯状片を用いて固着したり、あるいは、袋状の張り材を用いるなどの工夫を施すことが望ましい。
【００２７】
張り材９における下方の開口９ａには、その左右に上方に向けて切り欠かれた切欠部９ｄがあり、この切欠部９ｄを介して、背凭れフレーム２を脚体１に取付けるための取付部８が前方に延びている。
【００２８】
張り材９の開口９ａは、背凭れフレーム２の下枠材２ｂの下方で、紐等の閉塞手段により閉塞され、張り材９が、上方にずれて背凭れフレーム２から脱落しないようになっている。
【００２９】
張り材９は、網体として形成されており、着座者による前方からの荷重によって、後向きに弾性的に伸長するようになっている。
【００３０】
なお、張り材９は、袋状ではなく、一枚物であってもよい。この場合、背凭れフレーム２は、その前面側が張り材によって覆われ、板材１１は、背凭れフレーム２における左右の枠材２ａ、２ａ間であって、張り材の後方空間内に設けられることになる。
【００３１】
座体１３は、図５に示す前端１４ａが上方を向く縦向きの起立状態から、図６に示す横向きの着座状態に回動可能に、脚体１の枢軸４に枢支されている。
【００３２】
図２、図３に示すように、座体１３は、座本体１４と、この座本体１４の下面に固着され、座本体１４を枢軸４に枢支するための軸受部材１５と、座本体１４の下面および軸受部材１５を覆う座下面カバー１６とを備えている。
【００３３】
座本体１４は、着座状態における平面視において、ほぼ方形状をなし、後方がやや幅狭となっている。
【００３４】
軸受部材１５は、同じく着座状態における平面視において、後向きのほぼＴ字状をなす上板１５ａと、この上板１５ａの下面における左右方向の中央において、垂設された２枚の平行な前後方向の垂下片１５ｂ、１５ｂと、上板１５ａの後部において、前記垂下片１５ｂ、１５ｂの外側の左右両側に設けられた側面視Ｕ字状の枢軸受部１５ｃ、１５ｃとより形成されている。左右の枢軸受部１５ｃ、１５ｃは、２枚の平行な垂下片１５ｂ、１５ｂとほぼ等しい間隔だけ離間させて形成されている。
【００３５】
垂下片１５ｂは、枢軸受部１５ｃが位置する部分がＵ字状に切欠かれ、左右の枢軸受部１５ｃ、１５ｃと、垂下片１５ｂ、１５ｂの前記切欠部１５ｄとにより、枢軸４を受けるための左右方向の受け溝が形成されている。
【００３６】
図２、図９に示すように、座下面カバー１６は、着座状態における平面視において、ほぼ方形をなすとともに、底板１６ａは、前方視において下向きに突出する弓状をなし、かつ底板１６ａの後部には、軸受部材１５における枢軸受部１５ｃとの干渉を回避するための側面視Ｕ字状の溝部１６ｂが形成されている。
【００３７】
座体１３を枢軸４に組付けるには、次のようにする。
図３に示すように、軸受１７（図２参照）を枢軸４に嵌合させるとともに、軸受部材１５の枢軸受部１５ｃを下方から枢軸４に嵌合させる。この際、予め枢軸４に溶着されている位置決め部材１８（図２参照）により、軸受部材１５の位置決めを行う。次に、座本体１４を、上方から枢軸４に当てがい、下方からねじ１９により、軸受部材１５を座本体１４に固定する。
【００３８】
次に、図２〜図４、図７に示すように、２本のワイヤー２０、２０を、軸受部材１５における２枚の垂下片１５ｂ、１５ｂ間において、それぞれ一端２０ａをねじ２１により枢軸４に固定し、枢軸４の周方向に沿って配設し、他端２０ｂを前方に位置させる。
【００３９】
次に、左右の垂下片１５ｂ、１５ｂの前部間に係止ピン２２を架設し、この固定部としての係止ピン２２に、２本の巻きばね２３、２３のそれぞれの一端２３ａを固定し、他端２３ｂの遊端を、前記ワイヤー２０の他端２０ｂに連結する。
【００４０】
次に、左右の垂下片１５ｂ、１５ｂの後部間に架設されている架設片１５ｅに、ストッパー受け２４をねじ２５により固定する。このストッパー受け２４は、図６に示す着座状態から、図５に示す起立状態に、座体１３を枢軸４の回りに回動させたときに、枢軸４に溶接されているストッパー２６に当接し、座体１３の回動を規制するものである。
【００４１】
次に、座下面カバー１６を下方からねじ２７をもって、座本体１４に取付けて、座本体１４の下面および軸受部材１５を覆う。
【００４２】
以上のようにして、図７に示すように、付勢手段を、一端２３ａを座体１３の下部に固定し、他端２３ｂを遊端とした巻きばね２３をもって形成するとともに、この巻きばね２３を、着座状態において、前後方向の横向きに保持し、かつ前記遊端２３ｂを、座体１３が枢支された枢軸４に一端２０ａを固定して、枢軸４の周方向に沿って配設したワイヤー２０の他端２０ｂに連結することにより、座体１３を起立状態になる方向に常時付勢する椅子が得られる。
【００４３】
このように座体１３が起立状態になる方向に常時付勢されているため、不使用時においては、図５に示すような起立状態となっており、使用に際しては、着座者が手を用いて、巻きばね２３の付勢力に対抗して、座体１３を枢軸４の回りに回動させて、図６に示すような着座状態にして後に、着座することとなる。使用後は、着座者が座体１３から体を離すと、巻きばね２３の付勢力により、自動的に起立状態に復帰する。
【００４４】
なお、必要に応じて、着座状態を維持するための機構を組み込み、この機構の解除後に、自動的に起立状態に復帰するようにしてもよい。
【００４５】
また、巻きばね２３の付勢力を小さくして、自動的には起立状態に復帰しないが、人が起立状態に復帰させる際に要する力を軽減させるようにしてもよい。
【００４６】
図１、図９に示すように、座下面カバー１６は、下面後部が、後方視において下向きに突出する弓状に形成されるとともに、この下面が弓状に形成された後部に、図５に示す座体１３の起立状態において、下方および後方に開口する溝部２８が設けられて、この溝部２８の後端に第１手掛部２９が形成されている。
【００４７】
図１、図７、図９に示すように、座下面カバー１６の下面前部には、下方へ突出する突出部３０が設けられ、下方へ最も突出する部位３０ａから後方に向けて漸次上昇するように形成されている。この漸次上昇する下面には、第２手掛部３１としての凹部が、図５に示す座体１３の起立状態において、前下方に開口するように設けられている。
【００４８】
第１手掛部２９は、座体１３が起立状態の椅子を持ち運ぶときの手掛部として用いられ、第２手掛部３１は、起立状態にある座体１３を、着座状態にするときの手掛部として用いられる。
【００４９】
なお、本実施例においては、座体１３を構成する一部材である座下面カバー１６に、第１手掛部２９と第２手掛部３１を設けたが、座下面カバー１６を用いない場合には、たとえば座本体１４に両手掛部を設けてもよい。
【００５０】
一般的には、座体１３の後部に、起立状態において、少なくとも下方に開口する第１手掛部を設け、座体１３の下面前部を下方へ突出させ、この突出部における下面後部に、座体の起立状態において、前下方に開口する第２手掛部を設ければよい。
【図面の簡単な説明】
【００５１】
【図１】本発明を実施した椅子を、座体を起立状態に回動させたときの斜視図である。
【図２】図１に示す椅子の分解斜視図である。
【図３】同じく椅子の要部拡大分解斜視図である。
【図４】椅子の座下面カバーを取り外した状態の正面図である。
【図５】椅子の座体を、起立状態にしたときの中央縦断面図である。
【図６】椅子の座体を、着座状態にしたときの中央縦断面図である。
【図７】椅子の座体の中央縦断面図である。
【図８】張り材を、背凭れフレームに被覆する状態を示す要部正面図である。
【図９】座下面カバーの上方斜視図である。
【符号の説明】
【００５２】
１    脚体
２    背凭れフレーム
２ａ  左右の枠材
２ｂ  下枠材
３    側脚
４    枢軸
５    肘受け
６    ねじ
７    固定補助具
８    取付部
９    張り材
９ａ  開口
９ｂ  前面
９ｃ  後面
９ｄ  切欠部
１０    取付金具
１０ａ  取付片
１１    板材
１２    ねじ
１３    座体
１４    座本体
１４ａ  前端
１５    軸受部材
１５ａ  上板
１５ｂ  垂下片
１５ｃ  枢軸受部
１５ｄ  切欠部
１５ｅ  架設片
１６    座下面カバー
１６ａ  底板
１６ｂ  溝部
１７    軸受
１８    位置決め部材
１９    ねじ
２０    ワイヤー
２０ａ  一端
２０ｂ  他端
２１    ねじ
２２    係止ピン
２３    巻きばね
２３ａ  一端
２３ｂ  他端（遊端）
２４    ストッパー受け
２５    ねじ
２６    ストッパー
２７    ねじ
２８    溝部
２９    第１手掛部
３０    突出部
３０ａ  最も突出する部位
３１    第２手掛部
【図１】
0005165367.tif 000002
【図２】
0005165367.tif 000003
【図３】
0005165367.tif 000004
【図４】
0005165367.tif 000005
【図５】
0005165367.tif 000006
【図６】
0005165367.tif 000007
【図７】
0005165367.tif 000008
【図８】
0005165367.tif 000009
【図９】
0005165367.tif 000010